(57)【要約】ブロードキャストマルチキャスト技術領域に用いられ、単一周波数ネットワーク領域を確定する方法を提供した。ブロードキャスト・マルチキャストサービスを登録した端末の存在するセル又はセルクラスタを取得し、前記ブロードキャスト・マルチキャストサービスを登録した端末の存在するセル又はセルクラスタに隣接し、且つブロードキャスト・マルチキャストサービスを登録した端末が存在しないセル又はセルクラスタを確定し、補佐セル又は補佐セルクラスタに表記し、予定条件を満たした補佐セル又は補佐セルクラスタを選定し、それをブロードキャスト・マルチキャストサービスを登録した端末の存在するセル又はセルクラスタと共に単一周波数ネットワーク領域として確定する。又、単一周波数ネットワーク領域を確定する装置を提供した。【選択図】図３
2010521843.tif 000002
【特許請求の範囲】
【請求項１】
ブロードキャスト・マルチキャストサービスを登録した端末の存在するセル又はセルクラスタを取得するステップと、
前記ブロードキャスト・マルチキャストサービスを登録した端末が存在するセル又はセルクラスタに隣接し、且つブロードキャスト・マルチキャストサービスを登録した端末が存在しないセル又はセルクラスタを確定し、補佐セル又は補佐セルクラスタに表記するステップと、
予定条件を満たした補佐セル又は補佐セルクラスタを選択し、それをブロードキャスト・マルチキャストサービスを登録した端末が存在するセル又はセルクラスタと共に単一周波数ネットワーク領域として確定するステップと
を含むことを特徴とする単一周波数ネットワーク領域を確定する方法。
【請求項２】
前記ブロードキャスト・マルチキャストサービスを登録した端末の存在するセルを取得するステップは、
ブロードキャスト・マルチキャストサービスを登録した端末に確認情報の返送を通知し、全部セルの確認統計を「有」に初期化し、
端末からの確認情報を受信し、端末から確認情報を受信できなかった当該端末の存在するセルを「無」に設定し、始終に「有」としたセルをブロードキャスト・マルチキャストサービスを登録した端末の存在するセルに統計し、
又は、ブロードキャスト・マルチキャストサービスを登録した端末に確認情報の返送を通知し、全部セルの確認統計を「無」に初期化し、
端末からの確認情報を受信し、端末から確認情報を受信した当該端末の所在セルを「有」に設定し、それらの「有」としたセルをブロードキャスト・マルチキャストサービスを登録した端末の存在するセルに統計すること
を特徴とする請求項１に記載の単一周波数ネットワーク領域を確定する方法。
【請求項３】
前記ブロードキャスト・マルチキャストサービスを登録した端末の存在するセルクラスタを統計するステップは、
ブロードキャスト・マルチキャストサービスを登録した端末に、確認情報の返送を通知し、全部セルの確認統計を「有」に初期化し、全部セルクラスタの確認統計を「有」に初期化し、
端末からの確認情報を受信し、端末から確認情報を受信できなかった当該端末の所在セルを「無」に設定し、セルクラスタにおける全部セルの確認統計は「無」になった場合に、当該セルクラスタの確認統計を「無」に設定し、始終に「有」としたセルクラスタをブロードキャスト・マルチキャストサービスを登録した端末のセルクラスタに設定し、
又は、ブロードキャスト・マルチキャストサービスを登録した端末に確認情報の返送を通知し、全部セルの確認統計を「無」に初期化し、全部セルクラスタの確認統計を「無」に初期化し、
端末からの確認情報を受信し、端末から確認情報を受信できなかった当該端末の存在するセルを「有」に設定し、セルクラスタにおける全部セルの確認統計は「無」である場合に、当該セルクラスタの確認統計を「有」に設定し、それらの「有」としたセルクラスタをブロードキャスト・マルチキャストサービスを登録した端末のセルクラスタに設定することを特徴とする請求項１に記載の単一周波数ネットワーク領域を確定する方法。
【請求項４】
前記ブロードキャスト・マルチキャストサービスを登録した端末に確認情報の返送を通知するステップは、接続確率因子を採用し、ブロードキャスト・マルチキャストサービスを登録した端末に、確認情報の返送を通知することを特徴とする請求項２又は請求項３に記載の単一周波数ネットワーク領域を確定する方法。
【請求項５】
前記ブロードキャスト・マルチキャストサービスを登録した端末の存在するセル又はセルクラスタに隣接し、且つブロードキャスト・マルチキャストサービスを登録した端末の存在しないセル又はセルクラスタを確定するステップは、前記ブロードキャスト・マルチキャストサービスを登録した端末の全部隣接セル又は隣接セルクラスタを確定し、当該全部隣接セル又は隣接セルクラスタより構成された集合と、前記統計確定されたブロードキャスト・マルチキャストサービスを登録した端末の存在するセル又はセルクラスタより構成された集合の差を求める請求項１に記載の単一周波数ネットワーク領域を確定する方法。
【請求項６】
前記予定条件を満たした補佐セル又は補佐セルクラスタを選定するステップは、補佐セル又は補佐セルクラスタの隣接セル又は隣接セルクラスタにおいて、前記ブロードキャスト・マルチキャストサービスを登録した端末の存在するセル又はセルクラスタの数量は、予め設定された閾値以上であれば、当該補佐セル又は補佐セルクラスタを選定することを特徴とする請求項１に記載の単一周波数ネットワーク領域を確定する方法。
【請求項７】
パイロット信号強度が閾値より大きい補佐セル又は補佐セルクラスタが存在すれば、当該補佐セル又は補佐セルクラスタを追加選定することを特徴とする請求項６に記載の単一周波数ネットワーク領域を確定する方法。
【請求項８】
閾値が１である場合、前記補佐セル又は補佐セルクラスタを選定するステップは、全部補佐セル又は補佐セルクラスタを選定することを特徴とする請求項６に記載の単一周波数ネットワーク領域を確定する方法。
【請求項９】
ブロードキャストマルチキャストサービスを登録した端末が存在するセル又はセルクラスタを取得するためのブロードキャスト・マルチキャストサービス関連セル又はセルクラスタ確定ユニット（９１０）と、
前記ブロードキャスト・マルチキャストサービスを登録したセル又はセルクラスタに隣接し、且つブロードキャスト・マルチキャストサービスを登録した端末が存在しないセル又はセルクラスタを確定するための補佐セル又は補佐セルクラスタ確定ユニット（９２０）と、
前記ブロードキャスト・マルチキャストサービスの関連セル又はセルクラスタ確定ユニット（９１０）により確定されたセル又はセルクラスタを、前記補佐セル又は補佐セルクラスタ確定ユニット（９２０）により確定された予定条件を満たした補佐セル又は補佐セルクラスタと共に、単一周波数ネットワーク領域として確定するための単一周波数ネットワーク領域確定ユニット（９３０）と
を含むことを特徴とする単一周波数ネットワーク領域を確定する装置。
【請求項１０】
前記ブロードキャスト・マルチキャストサービス関連セル又はセルクラスタ確定ユニット（９１０）は、確認情報返送通知ユニット（９１１）と、初期化ユニット（９１２）と、受信・統計ユニット（９１３）とを含み、
統計対象がセルである場合、
確認情報返送通知ユニット（９１１）は、ブロードキャスト・マルチキャストサービスを登録した端末に確認情報の返送を通知し、
初期化ユニット（９１２）は、全部セルの確認統計を「有」に初期化し、又は全部セルの確認統計を「無」に初期化し、
受信・統計ユニット（９１３）は、端末から返送された確認情報を受信し、初期化ユニット（９１２）の操作に基づき、初期化ユニット（９１２）は全部セルの確認統計を「有」に初期化する場合、端末から確認情報を受信した当該端末の所在セルを「有」に設定し、それらの「有」としたセルをブロードキャスト・マルチキャストサービスを登録した端末のセルに統計し、又は、初期化ユニット（９１２）は全部セルの確認統計を「無」に初期化する場合、端末から確認情報を受信した当該端末の存在するセルを「有」に設定し、それらの「有」としたセルをブロードキャスト・マルチキャストサービスを登録した端末のセルに統計し、
統計対象がセルクラスタである場合、
確認情報返送通知ユニット（９１１）は、ブロードキャスト・マルチキャストサービスを登録した端末に確認情報の返送を通知し、
初期化ユニット（９１２）は、全部セルの確認統計を「有」に初期化し、且つ全部セルクラスタの確認統計を「有」に初期化し、又は全部セルの確認統計を「無」に初期化し、且つ全部セルクラスタの確認統計を「無」に初期化し、
受信・統計ユニット（９１３）は、端末から返送された確認情報を受信し、初期化ユニット（９１２）の操作に基づき、端末から確認情報を受信できなかった当該端末の存在するセルを「無」に設定し、セルクラスタにおける全部セルの確認統計が「無」になった場合に、当該セルクラスタの確認統計を「無」に設定し、始終に「有」であるセルクラスタをブロードキャスト・マルチキャストサービスを登録した端末のセルクラスタに設定し、又は、端末から確認情報を受信できなかった当該端末の所在セルを「有」に設定し、セルクラスタにおける全部セルの確認統計が「無」になった場合に、当該セルクラスタの確認統計を「有」に設定し、それらの「有」としたセルクラスタはブロードキャスト・マルチキャストサービスを登録した端末のセルクラスタに統計することを特徴とする請求項９に記載の単一周波数領域を確定する装置。
【請求項１１】
前記補佐セル又は補佐セルクラスタ確定ユニット（９２０）は、隣接セル又は隣接セルクラスタ確定ユニット（９２１）と、集合の差を求めるユニット（９２２）とを含み、
隣接セル又は隣接セルクラスタ確定ユニット（９２１）は、前記ブロードキャスト・マルチキャストサービス関連セル又はセルクラスタ確定ユニット（９１０）により確定されたセル又はセルクラスタの全部隣接セル又は隣接セルクラスタを確定し、
集合の差を求めるユニット（９２２）は、隣接セル又は隣接セルクラスタ確定ユニット（９２１）により確定された隣接セル又は隣接セルクラスタから構成された集合と、前記ブロードキャスト・マルチキャストサービス関連セル又はセルクラスタ確定ユニット（９１０）により確定されたセル又はセルクラスタから構成された集合の差を求め、その結果を補佐セル又は補佐セルクラスタに表記することを特徴とする請求項９に記載の単一周波数領域を確定する装置。
【請求項１２】
前記単一周波数ネットワーク領域確定ユニット（９３０）は、閾値設定ユニット（９３１）と、補佐セルと補佐セルクラスタ条件選定ユニット（９３２）と、配置ユニット（９３３）を含み、
閾値設定ユニット（９３１）は、予め閾値を設定し、
補佐セルと補佐セルクラスタ条件選定ユニット（９３２）は、補佐セル又は補佐セルクラスタの隣接セル又は隣接セルクラスタにおいて、予め設定された閾値個数以上の、前記確定されたブロードキャスト・マルチキャストサービスを登録した端末の存在するセル又はセルクラスタに所属するセル又はセルクラスタを補佐セル又は補佐セルクラスタに選定し、
配置ユニット（９３３）は、前記ブロードキャスト・マルチキャストサービス関連セル又はセルクラスタ確定ユニット（９１０）により確定されたセル又はセルクラスタを、補佐セルと補佐セルクラスタ条件選定ユニット（９３２）により選定された補佐セルと補佐セルクラスタと共に、単一周波数ネットワーク領域として配置することを特徴とする請求項９に記載の単一周波数領域を確定する装置。
【発明の詳細な説明】
【技術分野】
【０００１】
本発明はブロードキャストマルチキャスト技術領域に関し、特に移動通信ネットワークにおける単一周波数ネットワーク領域を確定する方法及び装置に関する。
【背景技術】
【０００２】
ブロードキャストマルチキャスト技術は、サービスカバレッジ範囲における複数のユーザー端末にサービス内容を同時に受信させる技術である。ブロードキャストマルチキャスト技術は、従来のポイントツーポイント方式の移動通信技術に比較して、サービスカバレッジ範囲における複数のユーザー端末に対して通信内容を提供できるため、ネットワーク利用率及び周波数スペクトル利用率を大幅に向上できる。最近、移動通信システムにより無線ブロードキャスト・マルチキャストサービスを提供する技術は大いに発展し、伝統なデジタル音声ブロードキャスト技術や、デジタル・ビデオ・ブロードキャスト技術と一体化する態勢も見せている。現在、第三世代パートナーシッププロジェクト（３rd Ｇｅｎｅｒａｔｉｏｎ  Ｐａｒｔｎｅｒｓｈｉｐ  Ｐｒｏｊｅｃｔの略称で、以下は３ＧＰＰという）で策定された第３世代移動通信システムにおいて、既にブロードキャスト・マルチキャストサービス（Ｍｕｌｔｉｍｅｄｉａ  Ｂｒｏａｄｃａｓｔ/ Ｍｕｌｔｉｃａｓｔ  Ｓｅｒｖｉｃｅの略称で、以下はＭＢＭＳという）を導入した。ＭＢＭＳは、１つのデータソースから複数のユーザー設備ＵＥに一斎に送信する一対多のデータサービスである。ＭＢＭＳによれば、移動コアネットワークとアクセスネットワークを含むネットワークリソースの共有、特にエアインタフェースリソースの共有を実現できる。３ＧＰＰで定義されたＭＢＭＳは、高速化通信が必要とするマルチメディアデータのブロードキャストサービス・マルチキャストサービス（例えば、移動端末に対するテレビサービス）に対応できる。
【０００３】
今より更に高速度のマルチメディアデータ伝送とより良いサービス品質を実現するため、３ＧＰＰはロング・ターム・エボリューション（ＬＴＥ，Ｌｏｎｇ  Ｔｅｒｍ  Ｅｖｏｌｕｔｉｏｎ）プロジェクトにおいて、従来のＭＢＭＳ技術を改善し、進化型ＭＢＭＳ（ｅｖｏｌｖｅｄ ＭＢＭＳ, eＭＢＭＳという）を提案した。図１は進化したＭＢＭＳシステムの構成を示す。図１によれば、ＲＮＣノードはキャンセルされ、無線リソース制御（ＲＲＣ）、無線リンク制御（ＲＬＣ）及びメディアアクセス制御（ＭＡＣ）は、進化した基地局（ｅｖｏｌｖｅｄ  ＮｏｄｅＢ，ｅＮｏｄｅＢ）に収容され実現された。進化したパケットコアネットワーク（Ｅｖｏｌｖｅｄ  Ｐａｃｋｅｔ  Ｃｏｒｅ，  ＥＰＣ）は移動性制御、サービス搬送管理等の機能を実現する。
【０００４】
単一周波数ネットワーク（Ｓｉｎｇｌｅ  Ｆｒｅｑｕｅｎｃｙ  Ｎｅｔｗｏｒｋ，ＳＦＮ）は、ブロードキャストマルチキャスト技術の発展に伴って生み出された概念である。主に、無線信号の伝送過程におけるパス消耗と各種の衰弱により、無線基地局のカバレッジ領域に、特にセルの境界にサービス盲点領域が形成され、信号受信品質が低減される問題点に対して、複数の基地局を利用して、同じ無線インタフェース信号を送信させる。ユーザー端末は複数の基地局から同一の信号を受信した時に、同一信号ソースからのマルチパス伝送信号を受信したことになる。各パスの信号伝送は独立性を持つため、複数基地局によるマクロダイバシティの重複カバーを実現できる。その上、適当な信号処理手段を選択すれば、ブロードキャスト・マルチキャストサービスのカバーレベルと受信品質を著しく向上できる。
【発明の概要】
【発明が解決しようとする課題】
【０００５】
従来の技術における単一周波数ネットワーク領域（ＳＦＮ  Ａｒｅａ）を確定する方法は、ブロードキャスト・マルチキャストサービス規格を基に、ＳＦＮ  Ａｒｅａのサイズを指定する。一定期間のサービス運営により、ブロードキャスト・マルチキャストサービス領域の調整が必要になった時、ＳＦＮ  Ａｒｅａを再度に指定する。当該方法は、静的確定方法であり、２回の指定の間におけるＳＦＮ  Ａｒｅａは固定的である。
【０００６】
しかし、実際の無線ネットワーク環境において、ブロードキャスト・マルチキャストサービスを登録したＵＥは動的分散状態にあり、マクロダイバシティのカバレッジ領域ではないＳＦＮ  Ａｒｅａ境界に出現する可能性がある。そこに位置しているＵＥは単一周波数ネットワーク領域を十分に利用できないため、受信品質が劣化するようになる。
【０００７】
本発明は以上のような課題に鑑みてなされたものであり、単一周波数ネットワーク領域を確定する方法及び装置を提供する。
【課題を解決するための手段】
【０００８】
上述した技術問題点を解決するため、本発明に係る実施形態は、次のように単一周波数ネットワーク領域を確定する方法及び装置を実現した。
【０００９】
（１）ブロードキャスト・マルチキャストサービスを登録した端末が存在するセル又はセルクラスタを取得するステップと、
前記ブロードキャスト・マルチキャストサービスを登録した端末が存在するセル又はセルクラスタに隣接し、且つブロードキャスト・マルチキャストサービスを登録した端末が存在しないセル又はセルクラスタを確定し、補佐セル又は補佐セルクラスタに表記するステップと、
予定条件を満たした補佐セル又は補佐セルクラスタを選定し、それをブロードキャスト・マルチキャストサービスを登録した端末が存在するセル又はセルクラスタと共に単一周波数ネットワーク領域として確定するステップと
を含む単一周波数ネットワーク領域を確定する方法。
【００１０】
（２）前記ブロードキャスト・マルチキャストサービスを登録した端末が存在するセルを取得するステップは、具体的に、
ブロードキャスト・マルチキャストサービスを登録した端末に確認情報の返送を通知し、全部セルの確認統計を「有」に初期化し、
端末からの確認情報を受信し、確認情報を受信できなかった当該端末の所在セルを「無」に設定し、統計結果が始終に「有」であるセルをブロードキャスト・マルチキャストサービスを登録した端末の所在セルとして統計し、
又は、
ブロードキャスト・マルチキャストサービスを登録した端末に確認情報の返送を通知し、全部セルの確認統計を「無」に初期化し、
端末からの確認情報を受信し、確認情報を受信した当該端末の所在セルを「有」に設定し、それらの「有」としたセルをブロードキャスト・マルチキャストサービスを登録した端末の所在セルとして統計する（１）に記載の単一周波数ネットワーク領域を確定する方法。
【００１１】
（３）前記ブロードキャスト・マルチキャストサービスを登録した端末の存在するセルクラスタを統計するステップは、
ブロードキャスト・マルチキャストサービスを登録した端末に確認情報の返送を通知し、全部セルの確認統計を「有」に初期化し、全部セルクラスタの確認統計を「有」に初期化し、
端末からの確認情報を受信し、確認情報を受信できなかった当該端末の所在セルを「無」に設定し、セルクラスタにおける全部セルの確認統計は「無」になった場合、当該セルクラスタの確認統計を「無」に設定し、始終に「有」であるセルクラスタをブロードキャスト・マルチキャストサービスを登録した端末のセルクラスタとして統計し、
又は、ブロードキャスト・マルチキャストサービスを登録した端末に確認情報の返送を通知し、全部セルの確認統計を「無」に初期化し、全部セルクラスタの確認統計を「無」に初期化し、
端末からの確認情報を受信し、確認情報を受信できなかった当該端末の所在セルを「有」に設定し、セルクラスタにおける全部セルの確認統計は「無」である場合、当該セルクラスタの確認統計を「有」に設定し、それらの「有」であるセルクラスタをブロードキャスト・マルチキャストサービスを登録した端末のセルクラスタとして統計する（１）に記載の単一周波数ネットワーク領域を確定する方法。
【００１２】
（４）前記ブロードキャスト・マルチキャストサービスを登録した端末に確認情報の返送を通知するステップは、
接続確率因子を採用し、ブロードキャスト・マルチキャストサービスを登録した端末に確認情報の返送を通知する（２）又は（３）に記載の単一周波数ネットワーク領域を確定する方法。
【００１３】
（５）前記ブロードキャスト・マルチキャストサービスを登録した端末の所在セル又はセルクラスタに隣接し、
且つブロードキャスト・マルチキャストサービスを登録した端末が存在しないセル又はセルクラスタを確定するステップは、前記ブロードキャスト・マルチキャストサービスを登録した端末の全部隣接セル又は隣接セルクラスタを確定し、当該全部隣接セル又は隣接セルクラスタより構成された集合と、前記統計確定されたブロードキャスト・マルチキャストサービスを登録した端末の所在セル又はセルクラスタより構成された集合の差を求める（１）に記載の単一周波数ネットワーク領域を確定する方法。
【００１４】
（６）前記予定条件を満たした補佐セル又は補佐セルクラスタを選定するステップは、補佐セル又は補佐セルクラスタの隣接セル又は隣接セルクラスタにおいて、前記確認統計されたブロードキャスト・マルチキャストサービスを登録した端末の所在セル又はセルクラスタに所属するセル又はセルクラスタの数量は、予め設定された閾値以上であれば、当該補佐セル又は補佐セルクラスタを選定する（１）に記載の単一周波数ネットワーク領域を確定する方法。
【００１５】
（７）パイロット信号強度は閾値より大きい補佐セル又は補佐セルクラスタが存在する場合に、当該補佐セル又は補佐セルクラスタを追加選定する（６）に記載の単一周波数ネットワーク領域を確定する方法。
【００１６】
（８）閾値が１である場合、前記補佐セル又は補佐セルクラスタを選定するステップは、全部補佐セル又は補佐セルクラスタを選定する（６）に記載の単一周波数ネットワーク領域を確定する方法。
【００１７】
（９）ブロードキャストサービスを登録する端末が存在するセル又はセルクラスタを確定するためのブロードキャスト・マルチキャストサービス関連セル又はセルクラスタ確定ユニット（９１０）と、
前記ブロードキャスト・マルチキャストサービスを登録したセル又はセルクラスタに隣接し、且つブロードキャスト・マルチキャストサービスを登録したセルが存在しないセル又はセルクラスタを確定するための補佐セル又は補佐セルクラスタ確定ユニット（９２０）と、
前記ブロードキャスト・マルチキャストサービス関連セル又はセルクラスタ確定ユニット９１０により確定されたセル又はセルクラスタを、補佐セル又は補佐セルクラスタ確定ユニット（９２０）により確定された予定条件を満たした補佐セル又は補佐セルクラスタと共に、単一周波数ネットワーク領域として確定する単一周波数ネットワーク領域確定ユニット（９３０）と
を含む単一周波数ネットワーク領域を確定する装置。
【００１８】
（１０）前記ブロードキャスト・マルチキャストサービス関連セル又はセルクラスタ確定ユニット（９１０）は、確認情報返送通知ユニット（９１１）と、初期化ユニット（９１２）と、受信・統計ユニット（９１３）とを含み、
統計対象がセルである場合、
確認情報返送通知ユニット（９１１）は、ブロードキャスト・マルチキャストサービスを登録した端末に確認情報の返送を通知し、
初期化ユニット（９１２）は、全部セルの確認統計を「有」に初期化し、又は全部セルの確認統計を「無」に初期化し、
受信・統計ユニット（９１３）は、端末からの確認情報を受信し、初期化ユニット（９１２）の動作に基づき、初期化ユニット（９１２）は全部セルの確認統計を「有」に初期化する場合、端末から確認情報を受信した当該端末の所在セルを「有」に設定し、それらの「有」としたセルをブロードキャスト・マルチキャストサービスを登録した端末の存在するセルとして統計し、又は、初期化ユニット（９１２）は全部セルの確認統計を「無」に初期化する場合、端末からの確認情報を受信し、確認情報を受信した端末の所在セルを「有」に設定し、それらの「有」としたセルをブロードキャスト・マルチキャストサービスを登録した端末の存在するセルとして統計し、
統計対象がセルクラスタである場合、
確認情報返送通知ユニット（９１１）は、ブロードキャスト・マルチキャストサービスを登録した端末に対して、確認情報の返送を通知し、
初期化ユニット（９１２）は、全部セルの確認統計を「有」に初期化し、全部セルクラスタの確認統計を「有」に初期化し、又は、全部セルの確認統計を「無」に初期化し、全部セルクラスタの確認統計を「無」に初期化し、
受信・統計ユニット（９１３）は、端末から確認情報を受信し、初期化ユニット（９１２）の動作を元に、端末から確認情報を受信できなかった当該端末の所在セルを「無」に設定し、セルクラスタにおける全部セルの確認統計が「無」になった場合、当該セルクラスタの確認統計を「無」に設定し、始終に「有」であるセルクラスタをブロードキャスト・マルチキャストサービスを登録した端末のセルクラスタとして統計し、又は、端末から確認情報を受信できなかった当該端末の所在セルを「有」に設定し、セルクラスタにおける全部セルの確認統計が「無」になった場合、当該セルクラスタの確認統計を「有」に設定し、始終に「有」としたセルクラスタをブロードキャスト・マルチキャストサービスを登録した端末のセルクラスタとして統計（９）に記載の単一周波数ネットワーク領域を確定する装置。
【００１９】
（１１）前記補佐セル又は補佐セルクラスタ確定ユニット（９２０）は、隣接セル又は隣接セルクラスタ確認ユニット（９２１）と集合の差を求めるユニット（９２２）とを含み、
隣接セル又は隣接セルクラスタ確定ユニット（９２１）は、前記ブロードキャスト・マルチキャストサービス関連セル又はセルクラスタ確定ユニット９１０により確定されたセル又はセルクラスタの全部隣接セル又は隣接セルクラスタを確定し、
集合の差を求めるユニット（９２２）は、隣接セル又は隣接セルクラスタ確定ユニット（９２１）により確定された隣接セル又は隣接セルクラスタより構成された集合と、前記ブロードキャスト・マルチキャストサービスの関連セル又はセルクラスタ確定ユニット（９１０）により確定されたセル又はセルクラスタより構成された集合の差を求め、その結果を補佐セル又は補佐セルクラスタとして表記する（９）に記載の単一周波数ネットワーク領域を確定する装置。
【００２０】
（１２）前記単一周波数ネットワーク領域確定ユニット（９３０）は閾値設定ユニット（９３１）と、補佐セルと補佐セルクラスタ条件選定ユニット（９３２）と、配置ユニット（９３３）を含み、
閾値設定ユニット９３１は、予め閾値を設定し、
補佐セルと補佐セルクラスタ条件選定ユニット（９３２）は、補佐セル又は補佐セルクラスタの隣接セル又は隣接セルクラスタにおいて、閾値数量以上の、前記ブロードキャスト・マルチキャストサービスを登録したセルが存在するセル又はセルクラスタに所属するセル又はセルクラスタを補佐セル又は補佐セルクラスタとして選定し、
配置ユニット（９３３）は、前記ブロードキャスト・マルチキャストサービス関連セル又はセルクラスタ確定ユニット（９１０）により確定されたセル又はセルクラスタを、補佐セルと補佐セルクラスタ条件選定ユニット（９３２）により選定された補佐セル又は補佐セルクラスタと共に、単一周波数ネットワーク領域として配置する（９）に記載の単一周波数ネットワーク領域を確定する装置。
【発明の効果】
【００２１】
本発明の技術案によれば、当該端末が存在するセル又はセルクラスタを統計し、又、当該セル又はセルクラスタの全部隣接セル又は隣接セルクラスタを計算することにより、補佐セル又は補佐セルクラスタを取得し、更に予定条件を満たした補佐セル又は補佐セルクラスタを確認統計されたセル又はセルクラスタと共に、単一周波数ネットワーク領域として配置する。そうすれば、セル又はセルクラスタの境界におけるＵＥであっても、最小数量の補佐セル又は補佐セルクラスタによりマクロダイバシティゲインを取得できるため、ＵＥの受信品質は確保できるようになる。
【図面の簡単な説明】
【００２２】
【図１】従来の技術において、進化型マルチメディア・ブロードキャスト・マルチキャストシステムの構成を示すブロック図である。
【図２】従来の技術において、単一周波数ネットワーク領域の静的配置効果を示す図である。
【図３】本発明の実施形態による方法におけるフローチャートである。
【図４】本発明の実施形態による方法において、進化型マルチメディア・ブロードキャスト・マルチキャストサービスを登録した端末が存在するセルを統計するフローチャートである。
【図５】本発明の実施形態による方法において、進化型マルチメディア・ブロードキャスト・マルチキャストサービスを登録した端末が存在するセルクラスタを統計するフローチャートである。
【図６】本発明におけるホールの場合を示すイメージ図である。
【図７】本発明における孤島の場合を示すイメージ図である。
【図８】図８-１と図８-２に分ける。それぞれは、本発明の実施形態による方法において、Ｋｂ＝１の場合の動的配置効果を示すイメージ図とＫｂ＝２の場合の動的配置効果を示すイメージ図である。
【図９】本発明の実施形態による装置のブロック図である。
【発明を実施するための形態】
【００２３】
本発明に係る実施形態は、単一周波数ネットワーク領域の配置方法を提供した。ｅＭＢＭＳサービスを登録した端末の存在するセル又はセルクラスタを確定し、前記ブロードキャスト・マルチキャストサービスを登録した端末が存在するセル又はセルクラスタに隣接し、且つブロードキャスト・マルチキャストサービスを登録した端末が存在しないセル又はセルクラスタを確定し、補佐セル又は補佐セルクラスタとして表記し、予定条件を満たした補佐セル又は補佐セルクラスタを統計確認されたセル又はセルクラスタと共に、単一周波数ネットワーク領域として確定する。
【００２４】
本発明の実施形態は、３ＧＰＰのＬＴＥプロジェクトで定義されたｅＭＢＭＳ技術標準を例として説明した。ＳＦＮ概念の導入は高速な物理ダウンリンクチャネルでｅＭＢＭＳを伝送する技術に基づく。ＳＦＮ（ＳＦＮ  Ａｒｅａ）領域はＳＦＮによりｅＭＢＭＳを実現するセルの集合より構成する。関連プロトコルにおけるＳＦＮ  Ａｒｅａ定義は下記通りである。
【００２５】
１つのＳＦＮ  Ａｒｅａは、同一周波数域で同一無線リソースを採用し、同一時刻にｅＭＢＭＳサービスを同期的に伝送する連続セルクラスタから構成される。ＳＦＮ  ＡｒｅａはｅＭＢＭＳサービス伝送を実施したセルに限って構成する。
【００２６】
ＳＦＮ  Ａｒｅａ内の各セルは高度な同期性を持ち、ノード同期、内容同期及びエアインタフェースリソースの同期を含む。そうすれば、ＳＦＮ  Ａｒｅａに含まれたセルの境界におけるＵＥであっても、当該ＳＦＮ  Ａｒｅａにおける他セルから同期信号を取得でき、ダウンリンクマクロダイバシティゲインを取得できる。
【００２７】
ｅＭＢＭＳでカバーできる領域の制限性、同期を実現できるセル数量とセル分布状況を考慮すれば、ＳＦＮ  Ａｒｅａが収容できるセル領域に一定の制限がかけられている。それに応じて、最大なＳＦＮセル領域はＭａｘｉｍｕｍ  ＳＦＮ  Ａｒｅａと称する。Ｍａｘｉｍｕｍ  ＳＦＮ  ＡｒｅａにおけるＳＦＮ  Ａｒｅａサイズは配置可能である。
【００２８】
従来のＳＦＮ  Ａｒｅａの静的配置方法を利用すれば、ネットワークを計画する時に、十分な冗長導入も考慮しなければならない。そうすれば、ＳＦＮ  Ａｒｅａ範囲は大きくなる。図２は従来技術による単一周波数ネットワーク領域の静的配置効果を示す図である。簡単的に広い地理領域範囲において、全ての基地局装置を利用してＳＦＮによるカバレッジを実現し、ブロードキャスト・マルチキャストサービスを伝送する。従来の配置方法は経済性が低く、ネットワーク内で不要な妨害を発生させ、周波数スペクトルの利用率を低下させる。
【００２９】
本技術領域の技術者に容易に理解させるため、次は図面と実施形態により、本発明について詳細に説明する。
【００３０】
従来の技術において、ｅＭＢＭＳサービスを伝送する前に、当該サービスを登録したＵＥの数量を統計し、当該サービスを登録したＵＥの数量を取得し、又、当該統計結果によりｅＭＢＭＳサービスを伝送する無線伝送方式を決定する。Ｍａｘｉｍｕｍ  ＳＦＮ  Ａｒｅａ範囲におけるＵＥを統計対象とする。
【００３１】
具体的は、システムは各セルのページングチャネル又はブロードキャストチャネルにより、ｅＭＢＭＳサービスを登録したＵＥに対して確認情報の返送を通知し、その確認情報によりｅＭＢＭＳサービスを登録したＵＥの数量を統計する。ｅＭＢＭＳサービスを伝送する過程で、ｅＭＢＭＳサービスを登録したＵＥの数量を再度に統計し、現在の無線伝送方式は最適であるかどうかを確認できる。最適な方式ではなければ、伝送方式を更に調整することもできる。上記過程において、ｅＭＢＭＳサービスを登録したＵＥは通常にアップリンク・ランダム・アクセス・チャネルにより確認情報を返送することが必要である。数多くのＵＥからのメッセージの同時返送によるネットワーク混雑を回避するため、システムは確認通知情報を送出する前に、接続確率因子を利用して情報を返送させるＵＥの数量に制限をかけておく。即ち、一定のＵＥのみは当該接続確率因子により、一定の確率で確認情報を返送する。システムは接続確率因子と情報を返送したＵＥの数量により、ｅＭＢＭＳサービスを登録したＵＥの数量を計算する。
【００３２】
本発明におけるＳＦＮ  Ａｒｅａ領域を確定する方法は上記方法に類似する。
【００３３】
図３は本発明の実施形態による方法のフローチャートである。主に次のステップを含む。
【００３４】
ステップ３０１：ｅＭＢＭＳサービスを登録したＵＥのセル又はセルクラスタを確定する。
【００３５】
上述した従来技術におけるｅＭＢＭＳサービスを登録したＵＥの統計方法に基づき、ｅＭＢＭＳサービスを登録したＵＥの存在するセルを統計できる。
【００３６】
ｅＭＢＭＳサービスを登録したＵＥを確定する時に、Ｍａｘｉｍｕｍ  ＳＦＮ  Ａｒｅａ範囲内のＵＥを対象とする。無論、事業者は自分で統計の操作領域を設定でき、当該領域はＭａｘｉｍｕｍ  ＳＦＮ  Ａｒｅａのサブセットである。必要に応じて統計操作領域のサイズを設定し、当該統計操作領域以内で、ｅＭＢＭＳサービスを登録したＵＥの存在するセルを統計する。
【００３７】
前記ｅＭＢＭＳサービスを登録したＵＥの存在するセルにおいて、ｅＭＢＭＳサービス放射機能がＯＮとしているはずである。そのため、ＵＥからの確認情報を受信したセルを「有」に統計し、対応的に、ｅＭＢＭＳサービスを登録したＵＥの統計結果により、ＵＥから確認情報を受信できなかった当該ＵＥの所在セルを「無」に統計する。
【００３８】
次は当該ステップの方法について詳細に説明する。図４の示すように、ステップ４０１：ｅＭＢＭＳサービスを登録したＵＥに対して、確認情報の返送を通知する。
【００３９】
ステップ４０２：全部セルの確認統計を「有」に初期化する。無論、当該ステップにおいて、全部セルの確認統計を「無」に初期化しても良い。
【００４０】
又、ステップ４０２とステップ４０３は必然の前後順序を持たない。
ステップ４０３：ＵＥから返送された確認情報を受信できなかった当該ＵＥの所在セルを「無」に設定する。
【００４１】
最終に「有」に統計されたセルはｅＭＢＭＳサービスを登録したＵＥが存在するセルになる。
【００４２】
それに対応して、ステップ４０２は「全部セルの確認統計を「無」に初期化する」となった場合、ステップ４０３は、「ＵＥから確認情報を受信した当該ＵＥの所在セルを「有」に設定する」となる。
【００４３】
しかし、上記「有」に統計されたセルの境界におけるＵＥにｅＭＢＭＳサービスを正常受信させるため、上記セルの境界地にマクロダイパシティ機能が必要になる。そのため、「無」に設定されたセルは自身のｅＭＢＭＳ機能を一切にＯＦＦにしてはならなく、次のステップに、所定の条件に応じてｅＭＢＭＳ放射機能をＯＮにする必要がある。
【００４４】
幾つかのセルをセルクラスタに組み合わせて、統一管理を行うことができる。例えば、１つのｅＮｏｄｅＢ配下の各セルは伝送リソースを共有できる場合、当該ｅＮｏｄｅＢ配下の全部セルを１つのセルクラスタにして管理する。セルクラスタは１つ又は複数の連続セルを含む集合であっても良い。又、セルクラスタに含まれるセルは事業者の必要に応じて予め設定できる。
【００４５】
セルクラスタに含まれたセルは統一管理されるため、セルクラスタの統計結果により、セルクラスタにおける全部セルのｅＭＢＭＳ放射機能を統一にＯＮにする。セルクラスタの確定方法において、セルクラスタ内の何れかのセルの統計結果は「有」であれば、当該セルクラスタを「有」に設定し、セルクラスタ内の何れかのセルの統計結果は「無」であれば、当該セルクラスタを「無」に設定する。
【００４６】
図５はセルクラスタの確認統計方法を示すフローチャートである。
【００４７】
ステップ５０１：ｅＭＢＭＳサービスを登録したＵＥに確認情報の返送を通知する。
【００４８】
ステップ５０２：全部セルの確認統計を「有」に初期化し、全部セルクラスタの確認統計を「有」に初期化する。
【００４９】
ステップ５０１とステップ５０２は前述と同じように、必然の前後順序を持たない。
【００５０】
ステップ５０３：ＵＥからの確認情報を受信し、ＵＥから確認情報を受信できなかった当該ＵＥの所在セルを「無」に設定する。
【００５１】
ステップ５０４：セルクラスタにおける全部セルの確認統計は「無」である場合、当該セルクラスタの確認統計を「無」に設定する。
最終に「有」に統計されたセルクラスタは、ｅＭＢＭＳサービスを登録したＵＥの存在するセルクラスタになる。
【００５２】
又、ステップ５０２は「全部セルの確認統計を「無」に初期化し、全部セルクラスタの確認統計を「無」に初期化する」となっても良い。その場合のステップ５０３は「ＵＥからの確認を受信した当該ＵＥの存在するセルを「有」に設定する」となり、その場合のステップ５０４は「セルクラスタにおける全部セルの確認統計は「有」である場合、当該セルクラスタの確認統計を「有」に設定する」となる。
【００５３】
同様に、上記「有」に統計されたセルの境界におけるＵＥにｅＭＢＭＳサービスを正常受信させるため、上記セルの境界地にマクロダイパシティ機能が必要になる。そのため、「無」に設定されたセルは自身のｅＭＢＭＳ機能を一切にＯＦＦしてはならなく、次のステップに、所定の条件に応じて自分のｅＭＢＭＳ放射機能をＯＮにする必要がある。
【００５４】
特に、上記ステップ５０１から上記ステップ５０４までのフローにおけるセルクラスタは、１セルしか含まない場合に、上記ステップ４０１から上記ステップ４０３までに簡易化できる。
【００５５】
上記ステップ４０１から上記ステップ４０３までのフロー、及び上記ステップ５０１から上記ステップ５０４までのフローにおいて、ｅＭＢＭＳサービスを登録したＵＥに確認情報の返送を通知する時に、前述のように接続確率因子によりｅＭＢＭＳサービスを登録したＵＥに確認情報の返送を通知でき、更にシステムは接続確率因子と確認情報を返送したＵＥの数量により、ｅＭＢＭＳサービスを登録したＵＥの数量を計算する。
【００５６】
セル又はセルクラスタの境界におけるＵＥにマクロダイバシティゲインを取得させるため、ＳＦＮ  Ａｒｅａの連続性定義を参照して、以後のステップにおいて所定の条件によりｅＭＢＭＳ放射機能をＯＮ／ＯＦＦにする時に、「ホール」と「孤島」の場合を配慮する必要がある。
【００５７】
図６は「ホール」の場合を示す。図６の示したように、統計結果が「無」としたセルの放射機能をＯＦＦにするかどうかは、当該セルの隣接セルのｅＭＢＭＳ機能ＯＮ/ＯＦＦ状態を参照する必要がある。図６のような「ホール」状況が発生し、即ち、「無」に統計された１セルは、「有」に統計された隣接セルに取り囲まれ、「ホール」セルとなった場合に、当該「ホール」セルのｅＭＢＭＳ機能はＯＮにする必要がある。
【００５８】
図７は「孤島」の場合を示す。図７の示したように、統計結果が「有」とした１セルは、完全に「無」に統計された隣接セルに取り囲まれ、「孤島」セルになった場合に、「有」である１セルのｅＭＢＭＳ放射機能のみをＯＮにしては、マクロダイバシティゲインを取得できない。当該「孤島」セルの隣接セルも放射機能もＯＮにする必要がある。
【００５９】
「上記ホール」と「孤島」の２つの場合からわかるが、ＳＦＮ  ＡｒｅａにおけるセルのｅＭＢＭＳ放射機能をＯＮ／ＯＦＦする時に、当該セルの隣接セルの放射機能のＯＮ／ＯＦＦ状況と結合して考慮する必要がある。あるセルの隣接セルの放射機能がＯＮであれば、当該セルの放射機能もＯＮにする必要がある。その実現方法は次のステップ３０２とステップ３０３を参照する。
【００６０】
ステップ３０２：前記ｅＭＢＭＳサービスを登録したＵＥの所在セル又はセルクラスタの全部補佐セル又は補佐セルクラスタを確定する。
ネットワークを計画する時に、通常、各セルの隣接セルを確定し、又、セル標識により対応関係を確定し、隣接セルリストを作成する。隣接セルリストは、自セルのカバレッジ範囲に隣接している他セルを表明し、各セルの実際の隣接セルリストはそれぞれと異なり、セルのカバレッジ領域における無線信号の強度を分析・測定することにより取得する。従来技術における隣接セルリストは、切替アルゴリズム（Ｓｗｉｔｃｈｉｎｇ  ａｌｇｏｒｉｔｈｍ）による目標セルの確定に用いられる。本発明は、隣接セルリストの概念をＳＦＮ  Ａｒｅａを確定する方法に更に拡大した。即ち、予めのネットワーク計画により、各セルクラスタを各隣接セルクラスタと対応させ、確立された対応関係をＳＦＮ  Ａｒｅａを確定する設備実体に保存しておく。各セルクラスタはそれぞれと複数のセルを収容できる。それぞれのセルクラスタに含まれたセル数は全部１である場合、隣接セルリストの概念は、切替アルゴリズムにおける目標セルの確定に用いられた隣接セルリストになる。隣接セルクラスタの対応関係を最適化することにより、補佐セルを確定する時の計算コストを低減できるようになる。
【００６１】
上記ステップ３０１において、全部セル又はセルクラスタの集合を取得する。当該集合に含まれた全部セル又はセルクラスタの隣接セル又は隣接セルクラスタは、より広い範囲の集合を構成する。後者の集合から前者の集合を除去すれば、本ステップ（３０２）で要求される全部補佐セル又は補佐セルクラスタを取得する。具体的は、
【００６２】
ｅＭＢＭＳサービスを登録したＵＥの存在するセル又はセルクラスタをＡ類セル又はセルクラスタに表記する。反対に、それ以外のセル又はセルクラスタをＢ類セル又はセルクラスタに表記する。Ａ類は必ずｅＭＢＭＳサービス放射機能をＯＮにするセル又はセルクラスタであり、Ｂ類は処理待ちのセル又はセルクラスタであり、Ｂ類のセル又はセルクラスタの中から補佐セル又は補佐セルクラスタを見付ける必要がある。
【００６３】
全部Ａ類セル又はセルクラスタで構成された集合をＡ’に表記し、Ａ’に含まれたセルはａ１,  ａ２，・・・，ａｎとする。ａiをサーチしてａiの隣接セル集合を取得し、Ｘｉに表記する。
【００６４】
全てのＸｉからＡ’を除去し、即ち、
【数１】
2010521843.tif 000003
により、集合Ｃを取得し、ＣはｅＭＢＭＳを登録したＵＥの存在するセル又はセルクラスタの全部補佐セル又は補佐セルクラスタである。
【００６５】
ステップ３０３：前記確定されたセル又はセルクラスタと補佐セル又は補佐セルクラスタをｅＭＢＭＳを伝送するＳＦＮ  Ａｒｅａに設定する。
【００６６】
前述のように、取得された集合Ａ’に含まれたセル又はセルクラスタは、必ずｅＭＢＭＳ放射機能をＯＮにする。ステップ３０２により取得された集合Ｃは、集合Ａ’を取り囲んでいるため、Ａ’に含まれたセルの境界におけるダウンリンクマクロダイバシティゲインを保証するため、集合Ｃにおけるセル又はセルクラスタもｅＭＢＭＳ放射機能をＯＮにさせるべきである。
【００６７】
最終、集合Ａ’と集合Ｃに含まれたセル又はセルクラスタにおいて、ｅＭＢＭＳサービスを放射する。
【００６８】
集合Ａ’と集合Ｃに含まれたセル又はセルクラスタにおいて、ｅＭＢＭＳサービス放射機能をＯＮにする時、同時に放射電力を検討する必要があり、或いは他の原因があるため、所定の条件に応じて放射機能をＯＮにする場合がある。その場合は、閾値を設定しても良い。閾値Ｋｂを設定し、集合Ｃに含まれたセルｃを次のように制限する。セルｃの隣接セルにおいて、集合Ａ’に所属するセルはＫｂ個又はＫｂ個以上である場合に限って、集合ＣにおけるセルｃのｅＭＢＭＳサービス放射機能をＯＮにする。Ｋｂ＝１の場合、前述したように、統計確認されたセル又はセルクラスタを補佐セル又は補佐セルクラスタと共にｅＭＢＭＳサービスを送信するＳＦＮ  Ａｒｅａとして設定する。図８−１はＫｂ＝１の場合を示す。Ｋｂは１より大きい場合、例えば、Ｋｂ＝２の場合、集合Ｃにおける任意のセルに対して、当該セルの隣接セルの中で、集合Ａ’に所属するセルは２個或いは２個以上である場合に限って、集合Ｃにおける当該セルの放射機能をＯＮにする。図８−２はＫｂ＝２の場合の状況を示す。
【００６９】
Ｋｂは２或いは２以上の値である場合、次の状況が存在すれば、即ち、端末はセルｄの境界に位置し、その隣は隣接セルｅであり、セルｄでは放射機能をＯＮにする。セルｅはＣ類セルであり、且つセルｅの隣接セルにおいて、集合Ａ’に所属するセルはセルｄのみである場合に、前述した処理方法によれば、セルｅでは放射機能をＯＮにはしない。しかし、端末が非常に強いセルｅの信号を検出した時に、セルｅの放射機能がＯＮであれば、セルｄの境界における当該端末のマクロダイバシティゲインの取得に非常に有利である。従来の技術において、アクティベート（Ａｃｔｉｖａｔｅ）状態にあるＵＥは同一周波数の信号を検出すればネットワーク側に報告する必要がある。ネットワーク側はＵＥから報告された隣接セルにおけるＣ類セルのパイロット信号の強度により対策できる。パイロット信号強度が閾値より大きい場合、当該隣接セルの放射機能をＯＮにする。当該閾値は予め設定できる。例えば、ＵＥの現在の所在セルのパイロットチャネルの受信信号強度に設定しても良い。或いは、ネットワーク設定における切替時の隣接セルの信号強度の値、或いは別の値に設定する。上述ｅセルは１つのセルクラスタに所属すれば、当該セルクラスタの放射機能をＯＮにする。
【００７０】
上記から分かるが、当該閾値Ｋｂはデフォルト値１に設定でき、又、必要に応じて変更できる。１より大きい値に変更する時に、隣接セルにおけるＣ類セルの信号強度により、更に変更できる。
【００７１】
上記本発明にかかる実施形態に記述された方法は、当該端末の存在するセル又はセルクラスタを統計し、当該セルの全部隣接セル又は隣接セルクラスタを計算することにより、補佐セル又は補佐セルクラスタを取得し、予定条件を満たした補佐セル又は補佐セルクラスタを統計確認されたセル又はセルクラスタと共に、同一周波数ネットワークエリアとして配置する。そうすれば、同一周波数ネットワーク領域の動的配置を実現し、セル又はセルクラスタの境界にあるＵＥであっても、最低数量の補佐セル又は補佐セルクラスタによりマクロダイバシティゲインを取得でき、ＵＥの受信品質を確保させ、更に、無線リソースと伝送リソースの消費を低減できるようになる。
【００７２】
以下は本発明に係る装置の実施形態を説明する。図９は当該装置の実施形態のブロック図を示す。
【００７３】
（９）図９の示したように、ブロードキャスト・マルチキャストサービスを登録した端末の存在するセル又はセルクラスタを取得するためのブロードキャスト・マルチキャストサービス関連セル又はセルクラスタ確定ユニット（９１０）と、
前記ブロードキャスト・マルチキャストサービスを登録した端末が存在するセル又はセルクラスタに隣接し、且つブロードキャスト・マルチキャストサービスを登録したセルが存在しないセル又はセルクラスタを確定するための補佐セル又は補佐セルクラスタ確定ユニット（９２０）と、
前記ブロードキャスト・マルチキャストサービス関連セル又はセルクラスタ確定ユニット（９１０）により確定されたセル又はセルクラスタを、補佐セル又は補佐セルクラスタ確定ユニット（９２０）により取得された予定条件を満たした補佐セル又は補佐セルクラスタと共に単一周波数ネットワーク領域として確定するための単一周波数ネットワーク領域確定ユニット（９３０）と
を含む単一周波数ネットワーク領域を確定する装置。
【００７４】
前記ブロードキャスト・マルチキャストサービス関連セル又はセルクラスタ確定ユニット９１０は、確認情報返送通知ユニット（９１１）、初期化ユニット（９１２）、及び受信・統計ユニット（９１３）を含み、そのうち、統計対象はセルである場合に、
確認情報返送通知ユニット（９１１）はブロードキャスト・マルチキャストサービスを登録した端末に確認情報の返送を通知し、
初期化ユニット（９１２）は、全部セルの確認統計を「有」に初期化し、又は全部セルの確認統計を「無」に初期化し、
受信・統計ユニット（９１３）は、端末からの確認情報を受信し、又、初期化ユニット（９１２）の操作に基づき、初期化ユニット（９１２）は、全部セルの確認統計を「有」に初期化する場合、端末から確認情報を受信した当該端末の所在セルを「有」に設定し、それらの「有」としたセルをブロードキャスト・マルチキャストサービスを登録した端末のセルとして統計し、又は、初期化ユニット（９１２）は、全部セルの確認統計を「無」に初期化する場合、端末からの確認情報を受信し、確認情報を受信した当該端末の所在セルを「有」に設定し、それらの「有」としたセルをブロードキャスト・マルチキャストサービスを登録した端末のセルとして統計し、
統計対象はセルクラスタである場合、
確認情報返送通知ユニット（９１１）はブロードキャスト・マルチキャストサービスを登録した端末に確認情報の返送を通知し、
初期化ユニット（９１２）は全部セルの確認統計を「有」に初期化し、且つ全部セルクラスタの確認統計を「有」に初期化し、又は全部セルの確認統計を「無」に初期化し、全部セルクラスタの確認統計を「無」に初期化し、
受信・統計ユニット（９１３）は端末から返送された確認情報を受信し、初期化ユニット９１２の操作を元に、端末から確認情報を受信できなかった当該端末の所在セルを「無」に設定し、セルクラスタに含まれた全部セルの確認統計が「無」になった場合、当該セルクラスタの確認統計を「無」に設定し、最終に「有」としたセルクラスタをブロードキャスト・マルチキャストサービスを登録した端末の存在するセルクラスタに統計し、又は、端末から確認情報を受信できなかった当該端末の所在セルを「有」に設定し、セルクラスタに含まれた全部セルの確認統計が「無」である場合、当該セルクラスタの確認統計を「有」に設定し、最終に「有」としたセルクラスタをブロードキャスト・マルチキャストサービスを登録した端末の存在するセルクラスタとして統計する（９）に記載の単一周波数ネットワーク領域を確定する装置。
【００７５】
前記補佐セル又は補佐セルクラスタ確定ユニット（９２０）は、隣接セル又は隣接セルクラスタ確定ユニット（９２１）と集合の差を求めるユニット（９２２）を含み、
そのうちの隣接セル又は隣接セルクラスタ確定ユニット（９２１）は、前記ブロードキャスト・マルチキャストサービス関連セル又はセルクラスタ確定ユニット（９１０）により確定されたセル又はセルクラスタの全部隣接セル又は隣接セルクラスタを取得し、
集合の差を求めるユニット（９２２）は隣接セル又は隣接セルクラスタ確定ユニット９２１で確定された隣接セル又は隣接セルクラスタより構成された集合と、前記ブロードキャスト・マルチキャストサービス関連セル又はセルクラスタ確定ユニット（９１０）で確定されたセル又はセルクラスタより構成された集合の差を求め、その結果を補佐セル又は補佐セルクラスタに表記する（９）に記載の単一周波数ネットワーク領域を確定する装置。
【００７６】
前記単一周波数ネットワーク領域確定ユニット（９３０）は、閾値設定ユニット（９３１）、補佐セルと補佐セルクラスタ条件選定ユニット（９３２）と配置ユニット（９３３）を含み、
閾値設定ユニット（９３１）は予め１つの閾値を設定し、
補佐セルと補佐セルクラスタ条件選定ユニット（９３２）は、補佐セル又は補佐セルクラスタの隣接セル又は隣接セルクラスタにおいて、閾値の数量以上の、前記確定されたブロードキャスト・マルチキャストサービスを登録した端末が存在するセル又はセルクラスタに所属するセル又はセルクラスタを補佐セル又は補佐セルクラスタに選定し、
配置ユニット９３３は前記ブロードキャスト・マルチキャストサービス関連セル又はセルクラスタ確定ユニット９１０により確定されたセル又はセルクラスタを、補佐セルと補佐セルクラスタ条件選定ユニット（９３２）により選定された補佐セル又は補佐セルクラスタと共に、単一周波数ネットワーク領域として配置する（９）記載の単一周波数ネットワーク領域を確定する装置。
【００７７】
本発明に係る装置の実施形態によりＳＦＮ  Ａｒｅａを動的に配置する方法は前述方法に類似するので、説明を省略する。
【００７８】
本明細書では上述した実施形態を参照し本発明を詳しく解説したが、当業者により、上述した技術的な解決手段を改造し、またはその中の一部の技術要素を置換することもできる。そのような改造と置換は本発明の各実施形態の技術の範囲から逸脱するとは見なされない。
【図１】
2010521843.tif 000004
【図２】
2010521843.tif 000005
【図３】
2010521843.tif 000006
【図４】
2010521843.tif 000007
【図５】
2010521843.tif 000008
【図６】
2010521843.tif 000009
【図７】
2010521843.tif 000010
【図８】
2010521843.tif 000011
【図９】
2010521843.tif 000012
【国際調査報告】
2010521843.tif 000013
2010521843.tif 000014
2010521843.tif 000015
2010521843.tif 000016